(57)【要約】      （修正有）【課題】変造品が製造されるのを有効に防止するケースを提供する。【解決手段】ケース１は、貴金属Ｗを収納する保護ケース部品１０と、保護ケース部品１０を収納する外側ケース部品とを備え、保護ケース部品１０は突起部１４０を有し、外側ケース部品は、凸部２３０および凹部２４０が形成されている第１外側ケース部品２１と、凸部２３０および凹部２４０が形成されている第２外側ケース部品２２とを有し、凸部２３０および突起部１４０が、凹部２４０に嵌って溶着されている。【選択図】図１
0003148404.tif 000002
【実用新案登録請求の範囲】
【請求項１】
貴金属を収納する保護ケース部品と、
前記保護ケース部品を収納する外側ケース部品とを備え、
前記保護ケース部品は突起部を有し、
前記外側ケース部品は、凹部および凸部が形成されている第１外側ケース部品と、凹部および凸部が形成されている第２外側ケース部品とを有し、
前記凸部および前記突起部が、前記凹部に嵌って溶着されていることを特徴とするケース。
【請求項２】
前記保護ケース部品の外側表面に光学的識別媒体が貼付されていることを特徴とする請求項１に記載のケース。
【請求項３】
前記保護ケース部品の前記光学的識別媒体が貼付された部分の周囲に、切り欠きが形成されていることを特徴とする請求項２に記載のケース。
【請求項４】
前記保護ケース部品は前記貴金属を保持する窪みと、前記貴金属を視認するための孔部とを有し、
前記孔部の形状は前記窪みの形状より小さく形成されており、
前記光学的識別媒体は前記孔部を囲うように貼付されていることを特徴とする請求項２または３に記載のケース。
【請求項５】
前記外側ケース部品は平坦に形成された平面部を有し、
前記平面部は透明な部材により構成されていることを特徴とする請求項１〜４のいずれか一項に記載のケース。
【請求項６】
前記溶着されている部分の側面に、層間剥離または剥離破壊可能な光学的識別媒体が貼付されていることを特徴とする請求項１〜５のいずれか一項に記載のケース。
【請求項７】
前記光学的識別媒体を貼付した後に、前記光学的識別媒体および前記外側ケース部品に刻印を付加することを特徴とする請求項６に記載のケース。
【考案の詳細な説明】
【技術分野】
【０００１】
本考案は、貴金属を収納するためのケースに係り、変造品の作製を有効に防止する技術に関するものである。
【背景技術】
【０００２】
従来、上記のようなケースとしては、下側ケースと蓋を超音波溶着により溶着したケース、あるいは下側ケースと蓋を超音波溶着により溶着したケースに中層のプレート部品を追加したケースなどが採用されていた。さらに、これらのケースにホログラムなどの偽造防止手段が組み合わされていた（例えば、特許文献１または２参照）。
【０００３】
たとえば、特許文献１では、ケースの内側に貴金属を保持する貴金属保持板を設けている。このような構造の貴金属保持板から貴金属を取り外そうとすると、貴金属保持板の一部が破損して、貴金属保持板が再使用されるのを防止する。また、特許文献２では、貴金属がケースの内部でホログラムシールにより封止されている。このような構造のケースから貴金属を取り外そうとすると、ホログラムシールが破損して、ホログラムシールが再使用されるのを防止する。
【特許文献１】実開平７−１９８１号公報
【特許文献２】特開平６−３２３７０号公報
【考案の開示】
【考案が解決しようとする課題】
【０００４】
しかしながら、従来のケースでは、貴金属を比較的容易に取り出すことができ、ケースを構成する主要な部品をほぼ無傷で再利用することができる。そのため、取り出した貴金属が模造品に入れ替えられた変造品が容易に作製可能となっていた。
【０００５】
そこで本考案は、上記に鑑みてなされたものであって、ケースの変造品が製造されるのを有効に防止する技術を提供することを目的とする。
【課題を解決するための手段】
【０００６】
本考案のケースは、貴金属を収納する保護ケース部品と、前記保護ケース部品を収納する外側ケース部品とを備え、前記保護ケース部品は突起部を有し、前記外側ケース部品は、凹部および凸部が形成されている第１外側ケース部品と、凹部および凸部が形成されている第２外側ケース部品とを有し、前記凸部および前記突起部が、前記凹部に嵌って溶着されていることを特徴とする。
【０００７】
本考案によれば、第１外側ケース部品と、第２外側ケース部品と、突起部との溶着部分に沿って、レーザーなどにより切断するのは難しい。また、第１外側ケース部品と、第２外側ケース部品と、突起部とに分離できたとしても、元に戻すのは困難である。その結果、ケースの変造品が製造されるのを防止することができる。
【０００８】
本考案において、前記保護ケース部品の外側表面に光学的識別媒体が貼付されていることが望ましい。この態様によれば、外側ケース部品を強引に開こうとすると、外側ケース部品が壊れ、それに連れて保護ケース部品も壊れる。さらに、保護ケース部品が壊れるのに伴い、光学的識別媒体が破損する。光学的識別媒体の偽造品または変造品を製造するのは困難であり、ケースの変造品が製造されるのを防止することができる。
【０００９】
なお、光学的識別媒体としては、ホログラム層、コレステリック液晶層または多層薄膜層のうち少なくともいずれか一層を備える識別媒体などを挙げることができる。
【００１０】
ここで、コレステリック液晶層について簡単に説明する。コレステリック液晶層は、層状構造を有している。そして、一つの層に着目した場合、層中において液晶分子の分子長軸はその向きが揃っており、かつ層の面に平行に配向している。そして配向の方向は、隣接する層において少しずつずれており、全体としては立体的なスパイラル状に配向が回転しつつ各層が積み重なった構造を有している。
【００１１】
この構造において、層に垂直な方向で考えて、分子長軸が３６０°回転して元に戻るまでの距離をピッチＰ、各層内の平均屈折率をｎとする。この場合、コレステリック液晶層は、λｓ＝ｎ×Ｐを満たす、中心波長λｓの円偏光を選択的に反射する性質を示す。すなわち、白色光をコレステリック液晶層に入射させると、特定の波長を中心波長とする右回りまたは左回り円偏光を選択的に反射する。この場合、反射した円偏光と同じ旋回方向を有するが波長がλｓでない円偏光、反射した円偏光と逆旋回方向の円偏光、さらに直線偏光の成分は、コレステリック液晶層を透過する。
【００１２】
反射する円偏光の旋回方向（回転方向）は、コレステリック液晶層のスパイラル方向を選択することで決めることができる。つまり、光の入射方向から見て、右ネジの向きに螺旋を描いて各層における分子長軸が配向しているか、左ネジの向きに螺旋を描いて各層における分子長軸が配向しているか、を選択することで、反射する円偏光の旋回方向（回転方向）を決めることができる。
【００１３】
またコレステリック液晶層は、カラーシフトと呼ばれる現象を示す。以下、カラーシフトの原理を説明する。隣接する層で屈折率が異なる光透過性の多層薄膜に斜めから光が入射すると、その光は、多層構造の各界面において反射される。この反射は、上下に隣接する光透過性の層の屈折率が異なることに起因する。また、１層の界面を見た場合、反射されるのは、入射光の一部であり、入射光の大部分は透過する。つまり、多層に積層された界面に入射した入射光は、各界面において少しずつ反射されてゆく。この各界面で発生した反射光は、基本的に同じ方向に反射するので、それらは光路差に起因する干渉を起こす。
【００１４】
入射光がより面に平行に近い方向から入射する程、光路差は小さくなるので、より短波長の光が干渉し、強め合うことになる。この原理から、視野角を大きくしていった場合に、より短波長の反射光同士が干渉し、強め合うことになる。この結果、白色光下で多層薄膜を見た場合に、視野角０°で多層薄膜が所定の色合いに見えたものが、視野角を大きくしてゆくに従い、徐々に青みがかった色に見た目の色彩が変化する現象が観察される。この現象をカラーシフトという。なお、視野角は、層への垂線と視線とのなす角度として定義される。
【００１５】
ここで、多層薄膜層について簡単に説明する。多層薄膜層は、第１の屈折率を有する光透過性フィルムと第１の屈折率と異なる第２の屈折率を有する光透過性フィルムとを交互に多層に積層した層である。多層薄膜層では、各層の各界面からの反射光が干渉することにより、コレステリック液晶層のカラーシフトと同じようなカラーシフトを観察することができる。
【００１６】
本考案において、前記保護ケース部品の前記光学的識別媒体が貼付された部分の周囲に、切り欠きが形成されていることが望ましい。この態様によれば、保護ケース部品は割れやすい構造となり、外側ケース部品を強引に開こうとすると、光学的識別媒体が貼付された部分が壊れて、光学的識別媒体が破損する。その結果、保護ケース部品および光学的識別媒体が転用されるのを防止することができる。
【００１７】
本考案において、前記保護ケース部品は前記貴金属を保持する窪みと、前記貴金属を視認するための孔部とを有し、前記孔部の形状は前記窪みの形状より小さく形成されており、前記光学的識別媒体は前記孔部を囲うように貼付されていることが望ましい。この態様によれば、例えば、光学的識別媒体が貼付された部分からカッターナイフやレーザー加工機を使用して穴を開けて、貴金属を取り出そうとすると、保護ケース部品および光学的識別媒体にキズが残ってしまい、手を加えた形跡を確認することができる。その結果、貴金属が他の物品に入れ替えられた変造品が製造されるのを防止することができる。
【００１８】
本考案において、前記外側ケース部品は平坦に形成された平面部を有し、前記平面部は透明な部材により構成されていることが望ましい。この態様によれば、例えば外側ケース部品の外側表面からカッターナイフやレーザー加工機などを使用して穴を開け、貴金属を取り出そうとした場合に形成されるキズや修正跡を目立たせることができる。その結果、貴金属が他の物品に入れ替えられた変造品が製造されるのを防止することができる。
【００１９】
本考案において、前記溶着されている部分の側面に、層間剥離または剥離破壊可能な光学的識別媒体が貼付されていることが望ましい。この態様によれば、光学的識別媒体をケースから剥がそうとした場合、光学的識別媒体が破損し、再利用ができなくなる。その結果、ケースが安易に分解されるのを防止することができる。
【００２０】
本考案において、前記光学的識別媒体を貼付した後に、前記光学的識別媒体および前記外側ケース部品に刻印を付加することが望ましい。この態様によれば、刻印が形成された光学的識別媒体を剥がすことが困難となる。また、ケースまたは光学的識別媒体を転用しようとすると、刻印によりケースに形成された溝と刻印により光学的識別媒体に形成されたスリットとを合わせることが困難となる。その結果、ケースまたは光学的識別媒体が転用されるのを防止することができる。
【考案の効果】
【００２１】
本考案によれば、ケースの変造品が製造されるのを有効に防止することができる。
【考案を実施するための最良の形態】
【００２２】
以下、本考案の一実施形態について図面を参照して説明する。図１は、ケースの構造を示す分解斜視図であり、図２はケースの外観を示す斜視図であり、図３は保護ケース部品を示す断面図である。
【００２３】
（保護ケース部品の構成）
保護ケース部品１０の構成について図面を参照して説明する。保護ケース部品１０は、図１に示すように、図中上側に矩形の第１保護ケース部品１１と、図中下側に矩形の第２保護ケース部品１２とを有している。第１保護ケース部品１１および第２保護ケース部品１２は、同型同大に形成されている。保護ケース部品１０は、第１保護ケース部品１１と第２保護ケース部品１２とにより箱型形状を形成し、貴金属Ｗを内側に収納する。
【００２４】
保護ケース部品１０は、壊れやすい部材により構成されている。壊れやすい部材としては、アクリル樹脂、ポリスチレン（ＰＳ）などを挙げることができる。保護ケース部品１０は、着色されている。そのため、保護ケース部品１０の内側に無線チップやその他のセキュリティ手段などを組み込んだとしても、外部から視認することができないようにすることが可能となる。
【００２５】
保護ケース部品１０には、図１に示すように、保護ケース部品１０の両面で、かつ後述する孔部１２０を囲うようにホログラム３０が貼付されている。そのため、例えば、機械で変造品か否かを判別する場合、ケース１の裏表関係なくケース１をセットして、判別することができる。ホログラム３０は、ケース１が変造品か否かの判別に使用される。
【００２６】
ここで、貴金属Ｗは、板状に形成されている。貴金属Ｗは、例えば、厚みが０．３ｍｍ程度に形成されている。貴金属Ｗとしては、例えば金、銀やプラチナなどの金属を、プレート、バーやメダルの形状に形成したものなどを挙げることができる。
【００２７】
第１保護ケース部品１１および第２保護ケース部品１２の内側中央部分には、図１に示すように、平面視で矩形の窪み１１０が形成されている。窪み１１０は、第１保護ケース部品１１と第２保護ケース部品１２とが組み合うことにより、貴金属Ｗを挟み込んで保持する。
【００２８】
第１保護ケース部品１１および第２保護ケース部品１２の内側中央部分には、図１に示すように、平面視で形状が窪み１１０より小さい矩形の孔部１２０が形成されている。孔部１２０は、窪み１１０により保持された貴金属Ｗを視認するための孔である。
【００２９】
上述したように、孔部１２０は窪み１１０より小さく形成されており、ホログラム３０は孔部１２０を囲うように貼付されている。つまり、貴金属Ｗの一部を保護ケース部品１０およびホログラム３０が覆う構造となる。そのため、例えば、ホログラム３０が貼付された部分からカッターナイフやレーザー加工機を使用して穴を開けて、貴金属Ｗを取り出そうとすると、保護ケース部品１０およびホログラム３０にキズが残ってしまい、手を加えた形跡を確認することができる。その結果、貴金属Ｗが他の物品に入れ替えられた変造品が製造されるのを防止することができる。
【００３０】
第１保護ケース部品１１および第２保護ケース部品１２の内側周囲には、環形の溶着部１３０が形成されている。溶着部１３０は、第１保護ケース部品１１と第２保護ケース部品１２とが超音波溶着などにより溶着される部分である。
【００３１】
なお、保護ケース部品１０を溶着する場合に限らず、金型内に貴金属Ｗを装填した後、樹脂を注入するようなインサート成形により保護ケース部品１０を一体成形してもよい。あるいは、溶剤型接着剤を用いて第１保護ケース部品１１と第２保護ケース部品１２とを接着してもよい。
【００３２】
それぞれの溶着部１３０には、複数の凸形の突起部１４０が形成されている。第１保護ケース部品１１の突起部１４０は、第１保護ケース部品１１の側方および第２保護ケース部品１２方向に突出した部分である。第２保護ケース部品１２の突起部１４０は、第２保護ケース部品１２の側方および第１保護ケース部品１１方向に突出した部分である。
【００３３】
それぞれの溶着部１３０には、複数の溝状の凹部１５０が形成されている。第１保護ケース部品１１または第２保護ケース部品１２側の突起部１４０が第１保護ケース部品１１または第２保護ケース部品１２側の凹部１４０に嵌り、第１保護ケース部品１１と第２保護ケース部品１２とが組み合って、溶着される。
【００３４】
後述するホログラム３０の周囲の第１保護ケース部品１１および第２保護ケース部品１２には、複数の溝状の切り欠き１６０が形成されている。切り欠き１６０は、保護ケース部品１０において弱化部となる部分である。そのため、保護ケース部品１０は割れやすい構造となり、外側ケース部品２０を強引に開こうとすると、ホログラム３０が貼付された部分が壊れて、ホログラム３０が破損する。その結果、保護ケース部品１０およびホログラム３０が転用されるのを防止することができる。
【００３５】
それぞれの溶着部１３０には、溝状の挿入部１７０が形成されている。挿入部１７０は、マイナスドライバーなどが挿入されて保護ケース部品１０を破壊するための部分である。保護ケース部品１０が破壊されることにより、貴金属Ｗを取り出すことができる。
【００３６】
（外側ケース部品の構成）
外側ケース部品２０の構成について図面を参照して説明する。外側ケース部品２０は、図１に示すように、図中上側に矩形の第１外側ケース部品２１と、図中下側に矩形の第２外側ケース部品２２とを有している。第１外側ケース部品２１および第２外側ケース部品２２は、同型同大に形成されている。外側ケース部品２０は、第１外側ケース部品２１と第２外側ケース部品２２とにより箱型形状を形成し、保護ケース部品１０を内側に収納する。
【００３７】
外側ケース部品２０には、図１および図２に示すように、平坦に形成された平面部２１０が形成されている。平面部２１０は、内側表面および外側表面の凹凸が排除されて形成されている。平面部２１０は、ケース１に収納された貴金属Ｗおよびホログラム３０をケース１から取り出さずに視認するため、透明な部材により構成されている。透明な部材としては、アクリル樹脂、ＡＢＳ樹脂やポリカーボネートなどを挙げることができる。そのため、例えば外側ケース部品２０の外側表面からカッターナイフやレーザー加工機などを使用して穴を開け、貴金属Ｗを取り出そうとした場合に形成されるキズや修正跡を目立たせることができる。
【００３８】
なお、平面部２１０は偏光特性を持たない部材により構成されていることが好ましい。このような構成とすることで、光学的識別媒体にコレステリック液晶層を有し、機械で変造品か否かを判別する場合、ケース１に収納された貴金属Ｗをケース１から取り出さずに真贋を判別することができる。偏光特性を持たない部材としては、アクリル樹脂、ＡＢＳ樹脂やポリカーボネートなどを挙げることができる。また、平面部２１０の外側表面にキズ防止用フィルムを転写することが好ましい。このような構成とすることで、ケース１同士の擦れなどによるキズができるのを防止することができる。
【００３９】
それぞれの平面部２１０の内側周囲には、環形の溶着部２２０が形成されている。溶着部２２０は、第１外側ケース部品２１と第２外側ケース部品２２とが超音波溶着などにより溶着される部分である。そのため、外側ケース部品２０の内側に収納した保護ケース部品１０から貴金属Ｗを取り出そうとすると、外側ケース部品２０を壊すこととなる。
【００４０】
それぞれの溶着部２２０には、凸形の凸部２３０が形成されている。第１の外側ケース部品２１の凸部２３０は、第２外側ケース部品２２方向に突出した部分である。第２の外側ケース部品２２の凸部２３０は、第１外側ケース部品２１方向に突出した部分である。
【００４１】
それぞれの溶着部２２０には、溝状の凹部２４０が形成されている。第１外側ケース部品２１または第２外側ケース部品２２側の凸部２３０、および保護ケース部品１０の突起部１４０が、第１外側ケース部品２１および第２外側ケース部品２２の凹部２４０に嵌って、溶着部２２０と突起部１４０とが互い違いに組み合って溶着されている。そのため、溶着部２２０が平坦に形成されている場合に比べて、第１外側ケース部品２１と、第２外側ケース部品２２と、突起部１４０との溶着部分に沿って、レーザーなどにより切断するのは難しい。また、第１外側ケース部品２１と、第２外側ケース部品２２と、突起部１４０とに分離できたとしても、元に戻すのは困難である。ケース１の変造品が製造されるのを防止することができる。
【００４２】
さらに、保護ケース部品１０の外側表面にホログラム３０が貼付されているので、保護外側ケース部品２０を強引に開こうとすると、保護ケース部品１０が壊れるのに伴い、ホログラム３０が破損する。その結果、ホログラム３０の偽造品または変造品を製造するのは困難であり、ケース１が変造されるのを防止することができる。
【００４３】
それぞれの溶着部２２０には、溝状の挿入部２５０が形成されている。挿入部２５０は、外側ケース部品２０が保護ケース部品１０を内側に収納する状態において、保護ケース部品１０の挿入部１７０に対向する位置に形成されている。挿入部２５０は、マイナスドライバーなどが挿入されて保護ケース部品１０および外側ケース部品２０を破壊するための部分である。保護ケース部品１０および外側ケース部品２０が破壊されることにより、貴金属Ｗを取り出すことができる。
【００４４】
（識別媒体および刻印の構成）
識別媒体４０および刻印５０の構成について図面を参照して説明する。ケース１には、図２に示すように、第１外側ケース部品２１と第２外側ケース部品２２とを組み合わせた部分であるケース１の側面に帯状の識別媒体４０が貼付されている。また、ケース１には、識別媒体４０が貼付された後にレーザーなどによりケース１および識別媒体４０に付加される刻印５０が形成されている。
【００４５】
識別媒体４０は、剥離破壊可能である。つまり、識別媒体４０は、剥離破壊構造を有している。剥離破壊構造では、識別媒体４０に切れ込みを入れ、識別媒体４０をケース１から剥がそうとした場合、その切れ込みから識別媒体４０が破れ、再利用ができなくなる。識別媒体４０が剥離破壊構造を有することで、識別媒体４０の不正な再利用を防ぐことができる。また、識別媒体４０が剥離破壊構造を有することで、ケース１の開封の有無を識別する開封識別シールを得ることができる。そのため、ケース１が安易に分解されるのを防止することができる。識別媒体４０は、識別媒体４０が転写されたケース１の真贋を判別するための媒体である。
【００４６】
なお、識別媒体４０が剥離破壊構造を有している場合に限らず、識別媒体４０をケース１から剥がそうとした際に層間破壊が生じる構成を、識別媒体４０を構成する一部の層に付与することもできる。この層間剥離構造の具体例としては、識別媒体４０をケース１に接着するための接着層が剥離を起こす前に、その他の層の層構造が物理的に破壊され、積層された方向で分離するように調整する例を挙げることができる。
【００４７】
刻印５０は、レーザーマーキングなどの刻印である。刻印５０は、図２に示すように、「ＡＢＣＤ」という文字部分である。刻印５０を付加することにより識別媒体４０を剥がすことが困難となる。また、ケース１または識別媒体４０を転用しようとすると、刻印５０によりケース１に形成された溝と刻印５０により識別媒体４０に形成されたスリットとを合わせることが困難となる。その結果、ケース１または識別媒体４０が転用されるのを防止することができる。
【００４８】
さらに、刻印５０は、ケース１の側面の識別媒体４０が貼付された部分と貼付されていない部分をまたぐように形成されている。また、刻印５０は、文字「ＡＢＤ」のように識別媒体５０の一部が独立するように形成されている。これらのようにすることで、さらにケース１または識別媒体４０が転用されるのを防止することができる。
【産業上の利用可能性】
【００４９】
本考案は、貴金属を収納するケースなどに利用することができる。
【図面の簡単な説明】
【００５０】
【図１】ケースの構造を示す分解斜視図である。
【図２】ケースの外観を示す斜視図である。
【図３】保護ケース部品を示す断面図である。
【符号の説明】
【００５１】
１…ケース、１０…保護ケース部品、２０…外側ケース部品、２１…第１外側ケース部品、２２…第２外側ケース部品、３０…ホログラム、４０…識別媒体、５０…刻印、１１０…窪み、１２０…孔部、１４０…突起部、１６０…切り欠き、２１０…平面部。
【図１】
0003148404.tif 000003
【図２】
0003148404.tif 000004
【図３】
0003148404.tif 000005